(57)【要約】【課題】  別設計の装置が不要で、リサイクル可能であり、遊技ホールで保有していない景品との引換えを可能とするようなＩＣコイン発行装置と景品引換システム、及びＩＣコインを提供し、遊技者の満足度を向上して利用の促進を図る。【解決手段】  無線通信手段と記憶手段とを備えて円盤形状に形成したＩＣコインを発行するＩＣコイン発行装置であって、遊技機で遊技した遊技者の遊技媒体の保有数量を取得する数量取得手段と、該保有数量に対応する価値で商品と引換え可能な商品引換用ポイントを前記ＩＣコインの記憶手段に書込む書込手段とを備えた。【選択図】    図１
2005135233.tif 000002
【特許請求の範囲】
【請求項１】
無線通信手段と記憶手段とを備えて円盤形状に形成したＩＣコインを発行するＩＣコイン発行装置であって、
遊技機で遊技した遊技者の遊技媒体の保有数量を取得する数量取得手段と、
該保有数量に対応する価値で商品と引換え可能な商品引換用ポイントを前記ＩＣコインの記憶手段に書込む書込手段とを備えた
ＩＣコイン発行装置。
【請求項２】
前記保有数量に対応する価値内で引換対象を複数の中から選択させる選択手段を備え、
前記書込手段での書込み情報に、選択された前記引換対象を識別する識別情報を設定した
請求項１記載のＩＣコイン発行装置。
【請求項３】
前記引換対象に関する情報を前記ＩＣコインに書込み表示させる書込表示手段を備えた
請求項１又は２記載のＩＣコイン発行装置。
【請求項４】
前記選択手段で前記引換対象を選択させる選択肢に、特定の商品又は／及び特定の店舗と、これらに共通で利用可能な共通利用を設定した
請求項２又は３記載のＩＣコイン発行装置。
【請求項５】
請求項１から４のいずれか１つに記載のＩＣコイン発行装置を遊技ホールに設置し、
前記ＩＣコインに書込まれたデータを読み取る読取手段、及び読み取った情報を出力する出力手段とで構成するＩＣコイン読取装置を店舗に設置した
景品引換システム。
【請求項６】
請求項１から４のいずれか１つに記載のＩＣコイン発行装置、及び請求項５記載の景品引換システムで使用する
ＩＣコイン。
【発明の詳細な説明】
【技術分野】
【０００１】
この発明は、例えばパチンコ機等の遊技機で払い出された遊技媒体の数量に基づいてＩＣコインを発行するようなＩＣコイン発行装置、景品引換システム、及びＩＣコインに関する。
【背景技術】
【０００２】
従来、パチンコ機やパチスロ機等の遊技機を設置した遊技ホールでは、プリペードカードやＩＣコイン等の有価価値データを記録した記録媒体を販売し、該記録媒体を投入して遊技を許容する遊技管理システムが提案されている。
【０００３】
該遊技管理システムでは、遊技者に遊技ホール内の専用販売機で前記記録媒体を販売し、該記録媒体が遊技機に隣接した台間機に投入されると、台間機の指示に基づいて遊技機から有価価値に対応する遊技媒体（パチンコ玉又はメダル等）を払い出し、遊技者に遊技を許容する（特許文献１参照）。
【０００４】
また、遊技後の処理としては、遊技媒体の数量を計数機で計数してレシートを発行し、該レシートに基づいて精算を行うゲームレシートの精算システムが提案されている（特許文献２参照）。
【０００５】
該精算システムでは、バーコード等を印刷した前記レシート又は現金換金用プレートを遊技者に発行し、遊技ホールの外にある現金交換所にて該レシート又は現金換金用プレートを現金に交換している。
【０００６】
遊技ホールの本来のサービスである景品交換は、遊技ホール内の景品交換カウンターにて、前記レシートを一般景品（ぬいぐるみ、タバコ、お菓子、家庭用ゲーム機等）と交換して行っている。
【０００７】
【特許文献１】特開２００２−１６６０１８号公報
【特許文献２】特開平６−３０４３２７号公報
【発明の開示】
【発明が解決しようとする課題】
【０００８】
しかし、前記レシートを使用する方法では、該レシートが使い捨てになりリサイクルできず、環境保護に反することとなる。
【０００９】
また、現金換金用プレートを使用する方法は、該現金換金用プレートと前記記録媒体との形状が異なり、現金換金用プレートを取り扱うための新たな装置を製造、導入する必要が生じる。
【００１０】
さらに、これらいずれの方法であっても、交換できるのが遊技ホールで保有する一般景品に限られ、遊技者が希望する多種多様な景品を用意しきれないという問題があった。
【００１１】
この発明は、上述の問題に鑑み、別設計の装置が不要で、リサイクル可能であり、遊技ホールで保有していない景品との引換えを可能とするようなＩＣコイン発行装置と景品引換システム、及びＩＣコインを提供し、遊技者の満足度を向上して利用の促進を図ることを目的とする。
【課題を解決するための手段】
【００１２】
この発明は、無線通信手段と記憶手段とを備えて円盤形状に形成したＩＣコインを発行するＩＣコイン発行装置であって、遊技機で遊技した遊技者の遊技媒体の保有数量を取得する数量取得手段と、該保有数量に対応する価値で商品と引換え可能な商品引換用ポイントを前記ＩＣコインの記憶手段に書込む書込手段とを備えたＩＣコイン発行装置であることを特徴とする。
【００１３】
前記無線通信手段は、磁気によって通信可能なアンテナコイル等、無線で通信可能な手段で構成することを含む。
【００１４】
前記記憶手段は、ＥＥＰＲＯＭ等の書き換え可能なＲＯＭ、ＦｅＲＡＭ等の不揮発性メモリ等、情報を記憶する手段で構成することを含む。
【００１５】
前記ＩＣコインは、ＣＰＵやＭＰＵ等で形成する制御手段を備えたもの、制御手段を有さず外部から制御信号を受信して該制御信号で動作するもの、外部から起電力を得て起動するもの、電源を備えたもの等、様々なタイプのＩＣチップのいずれかを備えたＩＣコインで形成することを含む。
【００１６】
前記遊技機は、パチンコ機やパチスロ機等、遊技を許容する装置で構成することを含む。
【００１７】
前記数量取得手段は、遊技者が保有するパチンコ玉やメダル等の遊技媒体を計数する計数装置、遊技者が保有するＩＣコインやＩＣカードといった記録媒体から遊技媒体数を読み取る記録媒体読取装置、又は、他の装置から遊技媒体数を受信する通信装置等、遊技媒体の保有数量を取得可能な装置で構成することを含む。
【００１８】
前記商品引換用ポイントは、金額を表す金額ポイント、又は商品を表す商品ポイント等、商品と引換用のポイントで構成することを含む。
【００１９】
前記書込手段は、磁気によって通信可能なアンテナ装置等、ＩＣコインと通信して情報の書き込みが可能な装置で構成することを含む。
【００２０】
前記構成により、商品引換用ポイントを付与したＩＣコインを発行することができ、遊技者は該ＩＣコインを商品と引換えることができる。これにより、該ＩＣコインとの引換えを許容する店舗であれば、遊技場の外の店舗であっても商品と引換えることができ、引換可能な商品の種類を大幅に増大することができる。
【００２１】
さらに、ＩＣコインは円盤状であるため、取り扱いに方向性がなく、大きさと形状が手になじみ持ち運びによく、便利に使用することができる。
【００２２】
この発明の態様として、前記保有数量に対応する価値内で引換対象を複数の中から選択させる選択手段を備え、前記書込手段での書込み情報に、選択された前記引換対象を識別する識別情報を設定することができる。
【００２３】
前記商品は、ＣＤ、ガソリン、ゲームソフト、ぬいぐるみといった物品商品、又は、ボーリング利用、キャンプ場利用、宿泊、食事といったサービス商品等、様々な商品で構成することを含む。
【００２４】
前記選択手段は、指又はタッチペンでタッチされた位置を取得するタッチパネル、又は複数の押下ボタンスイッチで形成する押下ボタン装置等、選択入力が可能な装置で構成することを含む。
【００２５】
前記引換対象は、特定の店舗の全商品、特定の店舗の特定商品、特定の商品、又は全商品で構成することを含む。なお、特定の商品とは品名や型番等で識別できるような商品（例えばＣＤ、ボーリング、焼肉、特上ロース等）を指す。
【００２６】
該引換対象の選択は、引換えする店舗の選択、引換えする商品の選択、又は、引換えする店舗と商品の選択もしくはこれらの組合せで構成することを含む。
【００２７】
前記識別情報は、選択された商品を示す商品コード等の商品情報、又は店舗を示す店舗コード等の店舗情報等、前記引換対象を識別可能な情報で構成することを含む。
【００２８】
前記構成により、遊技者に予めＩＣコインと引換える商品又は該商品の取扱い店舗を選択させ、引換対象を明確にして引換意欲を増大させることができる。これにより、その商品の取扱い店舗で客数増加及び客層増加を見込むことができる。
【００２９】
またこの発明の態様として、前記引換対象に関する情報を前記ＩＣコインに書込み表示させる書込表示手段を備えることができる。
【００３０】
前記書込表示手段は、ＩＣコインに備えられた熱可逆記録層に加熱して印字するセラミックヒーター、レーザ、ホットスタンプ、ヒートローラ、サーマルヘッド等、遊技者が認識可能な表示を書込む装置で構成することを含む。
【００３１】
前記構成により、遊技者はＩＣコインと引換えできる商品又は該商品の取扱い店舗を認識することができ、複数のＩＣコインを保有しても容易に識別することができる。
【００３２】
またこの発明の態様として、前記選択手段で前記引換対象を選択させる選択肢に、特定の商品又は／及び特定の店舗と、これらに共通で利用可能な共通利用を設定することができる。
【００３３】
これにより、特定の商品や取扱い店舗に限定されず、共通して使用可能なＩＣコインを提供することができる。
【００３４】
またこの発明は、前記ＩＣコイン発行装置を遊技ホールに設置し、前記ＩＣコインに書込まれたデータを読み取る読取手段、及び読み取った情報を出力する出力手段とで構成するＩＣコイン読取装置を店舗に設置した景品引換システムとすることができる。
【００３５】
前記読取手段は、磁気によって通信可能なアンテナ装置等、ＩＣコインと通信して情報の読取りが可能な装置で構成することを含む。
【００３６】
前記出力手段は、情報を表示する液晶ディスプレイやＣＲＴディスプレイといった表示装置、又は、情報をＰＯＳ端末本体等の他の装置に送信する通信装置等、情報を出力する装置で構成することを含む。
【００３７】
前記構成により、ＩＣコインの利用を許容する店舗でＩＣコインに書込まれた情報を読取り、店舗で適切に受容れることが可能となる。
【００３８】
またこの発明は、前記ＩＣコイン発行装置、及び前記景品引換システムで使用するＩＣコインとすることができる。
【００３９】
これにより、遊技者は円盤状で持ち運びに適したＩＣコインを持ち歩き、店舗で商品と引換えることができる。
【発明の効果】
【００４０】
この発明により、遊技機で遊技を行なった遊技者は、商品と引換可能なＩＣコインの発行を受けることができ、前記遊技機を備えた遊技ホール以外の店舗で前記ＩＣコインを商品と引換えることが可能となる。
【００４１】
これにより、ＩＣコインの発行を受ける価値が増大し、ＩＣコインと商品の引換えを促進し、遊技後の現金への換金の減少を図ることができる。
【００４２】
また、ＩＣコインは円盤状であるから方向性がなく取扱いが容易で、大きさ形状共に手になじみ、便利に利用することができる。
【発明を実施するための最良の形態】
【００４３】
この発明の一実施形態を以下図面と共に説明する。  
まず、図１に示すシステム構成図と共に、パチンコホール等の遊技ホール（遊技娯楽施設）、該遊技ホールの近隣に設置する換金所、及び遊技ホールと契約済みの店舗や遊技ホールと同経営の店舗を接続して構築するＩＣコイン貸出管理システム１について説明する。
【００４４】
ＩＣコイン貸出管理システム１には、販売機５、精算機６、データ管理装置７、ホールコンピュータ（遊技データ管理装置）９、台間機（遊技媒体貸出装置）１１、遊技機１２、計数機１４、現金払出機１５、及びＰＯＳ端末１６を、通信を中継するハブ（図示省略）を介して通信可能にケーブル１７に接続して備えている。またデータ管理装置７には、遠隔地のホストコンピュータ８を通信可能に接続している。
【００４５】
前記販売機５は、貨幣１０や持出用ＩＣコイン３の投入に基づいて遊技用ＩＣコイン４を払い出す。  
前記精算機６は、遊技に使用されず残った遊技用ＩＣコイン４や、一部遊技に利用して減額されて返却した遊技用ＩＣコイン４が利用者によって投入され、該投入された遊技用ＩＣコイン４を精算する。
【００４６】
データ管理装置７は、内蔵している制御部のマスターデータベースによって引換用ＩＣコイン２、持出用ＩＣコイン３、及び、遊技用ＩＣコイン４の発行状況と使用状況を記憶し、入りと出を一括管理している。ここで、入りと出とは、利用者が貨幣を遊技用ＩＣコイン４に交換してから、遊技終了後に遊技用ＩＣコイン４を引換用ＩＣコイン２（共通引換用ＩＣコイン２ａ，個別引換用ＩＣコイン２ｂ）や持出用ＩＣコイン３に交換するまでのことをいう。
【００４７】
前記ホストコンピュータ８は、遠隔地の第三者管理センタに備えており、例えば当日のみ使用可能な当日ＩＤコードをデータ管理装置７に配信し、該データ管理装置７から遊技用記録媒体である遊技用ＩＣコイン４の発行情報や、引換用ＩＣコイン２及び持出用ＩＣコイン３の発行情報を収集するといった処理を実行し、ＩＣコイン貸出管理システム１での引換用ＩＣコイン２、持出用ＩＣコイン３、及び遊技用ＩＣコイン４の発行や使用状況を管理している。
【００４８】
前記ホールコンピュータ９は、利用者（遊技者）が遊技して獲得したパチンコ玉やメダル等の遊技媒体の数量等を管理する。
【００４９】
前記台間機１１は、遊技用ＩＣコイン４又は貨幣１０の投入を受容れ、遊技機へ払出し命令をし、遊技機より遊技媒体を払い出す。  
前記遊技機１２は、パチンコ機又はパチスロ機等の遊技用の装置であり、遊技媒体の投入によりパチンコゲーム又はパチスロゲームを許容し、遊技に応じて遊技媒体を払い出す。
【００５０】
前記計数機１４は、利用者が遊技によって獲得した遊技媒体数を計数し、引換用ＩＣコイン２又は持出用ＩＣコイン３を払い出す。従って該計数機１４は、引換用ＩＣコイン２又は持出用ＩＣコイン３を発行する引換用又は持出用ＩＣコイン発行機としても機能する。
【００５１】
なお、該計数機１４は、遊技媒体の計数機能を備えた計数装置と、引換用ＩＣコイン２又は持出用ＩＣコイン３の払出機能を備えた引換用持出用ＩＣコイン発行装置とを隣接し、２つの装置で構成しても良い。
【００５２】
前記現金払出機１５は、遊技ホールに隣接した換金所に設置しており、利用者に対して引換用ＩＣコイン２及び持出用ＩＣコイン３の投入を許容し、投入された引換用ＩＣコイン２又は持出用ＩＣコイン３に所定の換金率を適用して得た金額の現金を払い出す装置である。
【００５３】
ＰＯＳ端末１６は、ＣＤショップや飲食店やガソリンスタンド等の各種店舗に設置しており、共通引換用ＩＣコイン２ａの投入や、店舗に対応する個別引換用ＩＣコイン２ｂの投入を受け付け、対応する価値分の代金若しくは商品を提供する。
【００５４】
以上の構成により、利用者が現金で遊技用ＩＣコイン４を借りて遊技を行い、遊技後に獲得した遊技媒体数を引換用ＩＣコイン２又は持出用ＩＣコイン３に記録することが可能となる。
【００５５】
引換用ＩＣコイン２は、共通引換用ＩＣコイン２ａであれば、遊技ホールと引換用ＩＣコイン２の利用で提携している店舗や、遊技ホールと同一経営の店舗等、所定の店舗に対して全店共通で商品と引換えることができ、個別引換用ＩＣコイン２ｂであれば特定された店舗で商品と割安に引換えることができる。
【００５６】
また持出用ＩＣコイン３は、現金払出機１５で自動換金することができると共に、持ち帰った場合には後日に所持して来店し、該持出用ＩＣコイン３を販売機５に投入して遊技用ＩＣコイン４の払出を受けることも可能となる。
【００５７】
次に、図２に示すブロック図と共に、販売機５の回路構成について説明する。  
販売機５を駆動制御する制御部２７は、各種の制御処理、演算処理を実行するＣＰＵ２８、各処理を行わせるプログラムを格納した不揮発性のＲＯＭ２９、動作に必要な情報を記憶し電源が断になると記憶情報が消去される揮発性のＲＡＭ３０、データ管理装置７と通信可能に接続する通信インターフェイス３１を備える。
【００５８】
前記制御部２７には、貨幣処理装置２１、表示装置２２、選択ボタン２３、取消ボタン２４、ＩＣコイン処理装置２５、プリンタ２６、電源装置３２が電気的に接続される。
【００５９】
貨幣処理装置２１は、紙幣及び硬貨の真偽判定、金種判定を実行し、真貨幣であれば遊技用ＩＣコイン４の発行（販売）を許容し、偽貨幣であれば該偽貨幣を返却し、つり銭が必要な場合にはつり銭処理を実行する。
【００６０】
表示装置２２は、投入貨幣の金額、投入ＩＣコインの有価価値数、エラーの表示等利用者に通知が必要な事項を表示する。  
選択ボタン２３は、例えば１，０００円、３，０００円、５，０００円の中からどの有価価値に相当する遊技用ＩＣコイン４を購入するか利用者に選択させる。
【００６１】
取消ボタン２４は、利用者に押下されると貨幣の返却を行い、遊技用ＩＣコイン４の発行を取消す。  
ＩＣコイン処理装置２５は、投入された共通引換用ＩＣコイン２ａ、個別引換用ＩＣコイン２ｂ、持出用ＩＣコイン３、又は遊技用ＩＣコイン４に対して非接触状態で情報の送受信を行う。引換用ＩＣコイン２及び持出用ＩＣコイン３に対しては情報の読取りを実行し、遊技用ＩＣコイン４に対しては読取り及び書込みを実行する。
【００６２】
プリンタ２６は、遊技用ＩＣコイン４の発行売上の集計を印字、排紙する。  
電源装置３２は、外部から供給される電力を動作電力に変換して各回路装置に供給する。
【００６３】
以上の構成により、投入されたＩＣコイン（引換用ＩＣコイン２、持出用ＩＣコイン３、遊技用ＩＣコイン４）に対して情報の読書きが実行でき、引換用ＩＣコイン２か持出用ＩＣコイン３か遊技用ＩＣコイン４かを、後述の景品コードと景品種類コードにて識別することができる。
【００６４】
持出用ＩＣコイン３又は貨幣１０が投入されると、対応する有価価値の遊技用ＩＣコイン４を発行することができ、引換用ＩＣコイン２か遊技用ＩＣコイン４が投入されるとそのまま返却することができる。
【００６５】
次に、図３に示すブロック図と共に、計数機１４の回路構成について説明する。  
計数機１４を駆動制御する制御部４６は、各種の制御処理、演算処理を実行するＣＰＵ４７、各処理を行わせるプログラムを格納した不揮発性のＲＯＭ４８、動作に必要な情報を記憶し電源が断になると記憶情報が消去される揮発性のＲＡＭ４９、データ管理装置７と通信可能に接続する通信インターフェイス５０を備える。
【００６６】
前記制御部４６には、遊技媒体数計数装置４０、表示装置４１、タッチパネル４２、ＩＣコイン処理装置４３、熱書込装置（表示書換装置）４４、端玉処理装置４５、電源装置５１が電気的に接続される。
【００６７】
前記遊技媒体数計数装置４０は、パチンコ玉投入口４０ａ又はメダル投入口（図１）に投入された遊技媒体の数量を計数する。  
前記表示装置４１は、液晶ディスプレイで形成し、入力数値、計数数値、エラーの表示等利用者に通知が必要な事項を表示する。
【００６８】
前記タッチパネル４２は、前記表示装置４１の表面に重ねて設け、生年月日等の文字列で構成する暗証番号の入力や、発行する引換用ＩＣコイン２に記憶させる商品の入力等、前記表示装置４１の表示にあわせた利用者による入力を許容する。
【００６９】
前記ＩＣコイン処理装置４３は、引換用ＩＣコイン２及び持出用ＩＣコイン３に対して非接触状態で情報の送受信を行い、引換用ＩＣコイン２及び持出用ＩＣコイン３に対する情報の読取り及び書込みを実行し、情報書込み後の引換用ＩＣコイン２及び持出用ＩＣコイン３をＩＣコイン発行口４３ａ（図１）から発行する。
【００７０】
前記熱書込装置４４は、サーマルヘッドを適宜の圧力で引換用ＩＣコイン２に押し当てる画像書込部と、適宜の高温（例えば１００度以上の温度）に設定したセラミックヒーターを適宜の圧力で引換用ＩＣコイン２に押し当てる画像消去部とで構成する。これにより、引換用ＩＣコイン２の熱可逆記録層（後述）に対して印字等の画像書込みと、書込んだ画像の消去とを実行する。
【００７１】
前記端玉処理装置４５は、計数した数量に対応する金額の引換用ＩＣコイン２を発行して端数が残る場合に、端玉としてパチンコ玉又はメダルを払い戻す。  
前記電源装置５１は、外部から供給される電力を動作電力に変換して各回路装置に供給する。
【００７２】
以上の構成により、利用者は計数機１４で遊技媒体の数量を計数し、対応する金額価値がデータ上に記録されると共に視認可能に書込まれた共通引換用ＩＣコイン２ａ又は個別引換用ＩＣコイン２ｂ、又は／及び、対応する価値金額がデータ上に記録された持出用ＩＣコイン３を取得することができる。
【００７３】
次に、図４に示す回路ブロック図と共に、現金払出機１５の回路構成について説明する。
【００７４】
現金払出機１５を駆動制御する制御部６５は、各種の制御処理、演算処理を実行するＣＰＵ６６、各処理を行わせるプログラムを格納した不揮発性のＲＯＭ６７、動作に必要な情報を記憶し電源が断になると記憶情報が消去される揮発性のＲＡＭ６８、データ管理装置７と通信可能に接続する通信インターフェイス６９を備える。
【００７５】
前記制御部６５には、表示装置６０、テンキー６１、入力ボタン６２、貨幣払出装置６３、ＩＣコイン処理装置６４、電源装置７０が電気的に接続される。  
表示装置６０は、投入された引換用ＩＣコイン２及び持出用ＩＣコイン３の金額、入力数値、エラー表示等、利用者に通知が必要な事項を表示する。
【００７６】
テンキー６１は、利用者に操作されることにより、投入された引換用ＩＣコイン２又は持出用ＩＣコイン３用の暗証番号の入力を許容して入力信号を制御部６５に送信する。
【００７７】
入力ボタン６２は、利用者に操作される事により、引換用ＩＣコイン２及び持出用ＩＣコイン３の精算の実行や取消しの入力を許容して入力信号を制御部６５に送信する。  
貨幣払出装置６３は、引換用ＩＣコイン２及び持出用ＩＣコイン３の精算金額を貨幣１０にて放出する。
【００７８】
ＩＣコイン処理装置６４は、精算される引換用ＩＣコイン２及び持出用ＩＣコイン３に対して非接触状態で情報の送受信を行い、引換用ＩＣコイン２及び持出用ＩＣコイン３の情報の読取り及び書込みを実行する。  
電源装置７０は、外部から供給される電力を動作電力に変換して各回路装置に供給する。
【００７９】
以上の構成により、利用者は引換用ＩＣコイン２及び持出用ＩＣコイン３を現金に自動で換金することができる。なお、この換金時には所定の換金率で換金するが、引換用ＩＣコイン２が投入された場合は持出用ＩＣコイン３より低い換金率で換金する。これにより、引換用ＩＣコイン２を投入して換金する利用者を減少させることができる。
【００８０】
次に、図５に示す回路ブロック図と共に、ＰＯＳ端末１６の回路構成について説明する。
【００８１】
ＰＯＳ端末１６を駆動制御する制御部７５は、各種の制御処理、演算処理を実行するＣＰＵ７６、各処理を行わせるプログラムを格納した不揮発性のＲＯＭ７７、動作に必要な情報を記憶し電源が断になると記憶情報が消去される揮発性のＲＡＭ７８、データ管理装置７と通信可能に接続する通信インターフェイス７９を備える。
【００８２】
前記制御部７５には、表示装置７１、入力キー７２、ＩＣコイン読取装置７３、レジスター７４、及び電源装置８０が電気的に接続される。  
表示装置７１は、液晶ディスプレイで形成し、投入された引換用ＩＣコイン２の金額、入力数値、エラー表示等、利用者に通知が必要な事項を表示する。
【００８３】
入力キー７２は、利用者に操作されることにより、利用者が購入した物品や利用したサービスの代金入力、消費税加算等の入力を受け付ける。
【００８４】
ＩＣコイン読取装置７３は、ＩＣコイン投入口７３ａ（図１）から投入された引換用ＩＣコイン２に対して非接触状態で情報の送受信を行い、引換用ＩＣコイン２の情報の読取り（書き込み不可）を実行する。
【００８５】
レジスター７４は、制御部７５の制御信号に従って、貨幣を収納した貨幣収納部７４ａ（図１）の開放を行い、店員による代金の収納や釣銭の取り出しを許容する。  
電源装置８０は、外部から供給される電力を動作電力に変換して各回路装置に供給する。
【００８６】
以上の構成により、ＰＯＳ端末１６は利用者に対して代金の精算及び商品の引換えを実行することができる。このとき、引換用ＩＣコイン２の投入があれば、引換えに対応する金額や商品をサービスし、残金だけを現金として請求することができる。
【００８７】
次に、引換用ＩＣコイン２（共通引換用ＩＣコイン２ａ、個別引換用ＩＣコイン２ｂ）、持出用ＩＣコイン３、及び遊技用ＩＣコイン４の外観構成について、図６に示す斜視図による説明図と共に説明する。
【００８８】
共通引換用ＩＣコイン２ａは、図中の（Ａ）に示すように、外装２０１を非伝導体である樹脂部材で扁平な円盤状に形成し、表層面（表裏両面）に印刷意匠２０３を施す。
【００８９】
外装２０１の表層面（表裏両面）中央には、使用可能店舗名２０７、ポイント数２０５、及びデザイン意匠２０６を書き換え可能に表示する円形の書換表示部２０２を備える。
【００９０】
個別引換用ＩＣコイン２ｂは、図中の（Ｂ）に示すように、外装２０１を非伝導体である樹脂部材で扁平な円盤状に形成し、表層面（表裏両面）に印刷意匠２０３を施す。
【００９１】
外装２０１の表層面中央には、引換商品名２０４、ポイント数２０５、使用可能店舗名２０７を書き換え可能に表示する円形の書換表示部２０２を備える。
【００９２】
ここで、前記共通引換用ＩＣコイン２ａ及び個別引換用ＩＣコイン２ｂの書換表示部２０２について、図７に示す断面図と共に説明する。
【００９３】
書換表示部２０２は、ＩＣチップ本体部２２０を表面と背面とで挟み込む外装２０１の表面側に設けており、該外装２０１の上に接着層２１３を、該接着層２１３の上に熱可逆記憶層２１２、該熱可逆記憶層２１２の上に保護層２１１を設けている。
【００９４】
前記保護層２１１は、透明のアクリル系樹脂やウレタン系樹脂といった熱可塑性樹脂等、過熱に耐えられる透明部材で形成する。
【００９５】
前記熱可逆記憶層２１２は、加熱により発色と消色が可能な熱可逆部材で形成する。該熱可逆部材としては、例えばロイコ染料と長鎖アルキル顕色剤等を用いると良い。  
前記接着層２１３は、ウレタン系樹脂やシリコン系樹脂等の接着剤で形成する。
【００９６】
このように表裏両面に形成した書換表示部２０２により、該書換表示部２０２上に前記引換商品名２０４、ポイント数２０５、デザイン意匠２０６、及び使用可能店舗名２０７を書込み表示することができ、表示内容を消去して再利用することができる。
【００９７】
なお、共通引換用ＩＣコイン２ａ及び個別引換用ＩＣコイン２ｂは、書換表示部２０２の表示とＥＥＰＲＯＭ９４内のデータ内容が異なるだけであり、ハード構成としては同一物である。
【００９８】
持出用ＩＣコイン３は、外周部３０１を非伝導体である樹脂部材で扁平な円盤状に形成し、表層面（表裏両面）に印刷意匠３０３を施す。  
外周部３０１の表層面中央には高価な金属部材で形成する円盤状の金額表示部３０２を形成し、金額やデザイン意匠を刻印３０４により形成する。
【００９９】
なお、該持出用ＩＣコイン３は、金額として５，０００円、３，０００円、１，０００円に対応する３種類のタイプを提供すると良い。  
この場合、高額になるに従ってデザイン意匠を凝ったものにして形成し、最高額である５，０００円は金材、中間額である３，０００円は銀材、最低額である１，０００円は銅材で形成すると良い。
【０１００】
遊技用ＩＣコイン４は、図６の（Ｄ）に示すように、外装４０１を非伝導体である樹脂部材で円盤状に形成し、表層面に印刷意匠４０２を施す。該印刷意匠４０２は、遊技用ＩＣコイン４の価値金額を示す金額表示と簡易なデザインで構成する。
【０１０１】
以上の構成により、利用者は投入方向等を気にすることなく、共通引換用ＩＣコイン２ａ、個別引換用ＩＣコイン２ｂ、持出用ＩＣコイン３、及び遊技用ＩＣコイン４を、販売機５、精算機６、台間機１１、計数機１４、現金払出機１５、及びＰＯＳ端末１６に投入することができる。
【０１０２】
また、外装２０１を非伝導部材で形成しているため、後述するアンテナ（コイルで形成）の通信機能を確保することができる。
【０１０３】
なお、この実施形態では、共通引換用ＩＣコイン２ａ、個別引換用ＩＣコイン２ｂ、持出用ＩＣコイン３、及び遊技用ＩＣコイン４とを同一半径で同一厚のコイン形状に形成しているが、それぞれを同一半径で厚みが異なるように形成しても良い。
【０１０４】
例えば、引換用ＩＣコイン２及び持出用ＩＣコイン３と、遊技用ＩＣコイン４とで厚みを異ならせる、あるいは、全種類のＩＣコインでそれぞれ厚み設定して異ならせることができる。この場合、厚みで引換用ＩＣコイン２及び持出用ＩＣコイン３と遊技用ＩＣコイン４とを仕分けることが可能となり、かつ利用者は大きさに違和感を持つことがない利用環境を提供することができる。
【０１０５】
次に、図８に示す回路構成図と共に、引換用ＩＣコイン２、持出用ＩＣコイン３、及び遊技用ＩＣコイン４の回路構成について説明する。該引換用ＩＣコイン２、持出用ＩＣコイン３、及び遊技用ＩＣコイン４は、回路構成としては同一のＩＣコインであり、内部にはＩＣモジュール９０を備えている。
【０１０６】
該ＩＣモジュール９０は、ＣＰＵ９１、ＲＯＭ９２、ＲＡＭ９３、ＥＥＰＲＯＭ９４、変復調器９５、電源回路９６、及びアンテナ９７で構成する。  
前記ＣＰＵ９１は、ＲＯＭ９２に格納されたプログラムによって各回路装置を駆動制御する。
【０１０７】
前記ＲＯＭ９２は、不揮発性でデータの書込みが不可能であり、駆動制御に必要なプログラムを記録する。  
前記ＲＡＭ９３は、揮発性でデータの消去、再書込みが可能であり、動作に必要なデータを記録する。
【０１０８】
前記ＥＥＰＲＯＭ９４は、不揮発性でデータの消去、再書込みが可能であり、後述するＩＣコインデータを格納している。
【０１０９】
前記変復調器９５は、前記アンテナ９７と共に通信手段を構成し、販売機５、精算機６、台間機１１、計数機１４、現金払出機１５、及びＰＯＳ端末１６に備えたそれぞれのＩＣコイン処理装置と非接触状態でデータの送受信を実行する。  
前記電源回路９６は、アンテナ９７に信号を受信したときの起電力により電力を発生し、各回路に供給する。
【０１１０】
以上の構成により、引換用ＩＣコイン２、持出用ＩＣコイン３、及び遊技用ＩＣコイン４に対してデータの記録と読出しができる。データの読書きは非接触で可能であるため、例えば磁気カードのように磁気ヘッドまで搬送するといった必要がなく、搬送時間を削減して高速処理を行うことができ、素早い読み込み、書き出しが可能となる。
【０１１１】
次に、図９に示すデータ説明図と共に、引換用ＩＣコイン２、持出用ＩＣコイン３、及び遊技用ＩＣコイン４の各ＥＥＰＲＯＭに格納する各ＩＣコインデータ、及び、遊技情報履歴データについて説明する。
【０１１２】
引換用ＩＣコイン２及び持出用ＩＣコイン３のＩＣコインデータは、（Ｅ）に示すように、シリアルＮｏ．、ホ−ルＮｏ．、当日ＩＤ、貸出し可能度数、発行日付、島Ｎｏ．、台間機Ｎｏ．、景品コ−ド、景品種類コ−ド、店舗コ−ド、暗証番号、及びＳＵＭの項目で構成する。
【０１１３】
前記シリアルＮｏ．は、ＩＣコインに固有の情報として付与したユニークな番号を格納する。  
前記ホ−ルＮｏ．は、遊技ホール毎に付けた番号を格納する。
【０１１４】
前記当日ＩＤは、当日の暗証データを格納する。  
前記貸出し可能度数は、遊技媒体の貸出し可能な度数であり、ポイント数を格納する。なお、該ポイント数は１ポイント１円の価値として金額と等価の値で格納するが、１０ポイント１円とする等、遊技ホールの選択によって所定の換算率で格納しても良い。
【０１１５】
前記発行日付は、ＩＣコインを発行した当日の日付データを格納する。  
前記島Ｎｏ．は、ＩＣコインを発行した台間機１１の所属する中継機（図示省略）の番号を格納する。なお、ＩＣコイン販売機５又は計数機１４で発行されたＩＣコインの場合は、ＩＣコイン販売機Ｎｏ．又は計数機Ｎｏ．を格納する。
【０１１６】
前記台間機Ｎｏ．は、ＩＣコインを発行した台間機１１の番号を格納する。  
前記景品コ−ドは、景品（一般景品、特殊景品）であるという識別データ、すなわち引換用ＩＣコイン又は持出用ＩＣコインであるという識別データを格納する。
【０１１７】
前記景品種類コ−ドは、景品の種類が一般景品すなわち引換用ＩＣコイン２であるか、特殊景品すなわち持出用ＩＣコイン３であるかを識別する種類データを格納する。
【０１１８】
前記店舗コ−ドは、一般景品である引換用ＩＣコイン２を商品と引換可能な店舗を表すコードを格納する。共通引換用ＩＣコイン２ａの場合は全店舗で引換可能であることを示すコードを格納し、個別引換用ＩＣコイン２ｂの場合は各店舗に割当てたコードを格納する。
【０１１９】
前記暗証番号は、利用者が入力する番号であり、任意の英数字で所定の長さの文字列を格納する。  
前記ＳＵＭは、データの正誤をチェックするデータチェックサムで構成する。
【０１２０】
持出用ＩＣコイン３のＩＣコインデータは、図９の（Ｆ）に示すように、シリアルＮｏ．、ホ−ルＮｏ．、当日ＩＤ、貸出し可能度数、発行日付、島Ｎｏ．、台間機Ｎｏ．、景品コード、暗証番号、及びＳＵＭの項目で構成する。  
すなわち、前記引換用ＩＣコイン２から景品種類コ−ド、店舗コ−ドを除いたデータ項目で構成する。
【０１２１】
各データ項目の内容については、前述した引換用ＩＣコイン２と同一であるので詳細な説明を省略する。
【０１２２】
遊技用ＩＣコイン４のＩＣコインデータは、図９の（Ｇ）に示すように、シリアルＮｏ．、ホ−ルＮｏ．、当日ＩＤ、貸出し可能度数、発行日付、島Ｎｏ．、台間機Ｎｏ．、及びＳＵＭの項目で構成する。  
すなわち、前記引換用ＩＣコイン２から景品コ−ド、景品種類コ−ド、店舗コ−ドを除いたデータ項目で構成する。
【０１２３】
貸出し可能度数には、引換用ＩＣコイン２及び持出用ＩＣコイン３とは異なり、遊技媒体数として使用可能な貸出し可能度数を格納する。  
他の各データ項目の内容については、前述した引換用ＩＣコイン２と同一であるので詳細な説明を省略する。
【０１２４】
以上のデータ項目の内、シリアルＮｏ．、ホールＮｏ．、及び景品コードは、ＩＣコインを発行する以前に設定して記録しておく。  
また、島Ｎｏ．、台間機Ｎｏ．、景品コ−ド、景品種類コ−ド、店舗コ−ド、及び暗証番号は、ＩＣコインを発行する毎に記録する。  
また、当日ＩＤコード、貸出し可能度数、発行日付、及びＳＵＭは、ＩＣコインにデータを記録する毎に記録する。
【０１２５】
遊技情報履歴データは、前述のデータ管理装置７（図１）の記憶部に格納して利用者の履歴情報を管理するデータであり、図９の（Ｈ）に示すように、日付、時刻、台番号、及び使用度数のデータ項目で構成する。
【０１２６】
前記日付は、利用者がその遊技台で遊技した日付を格納する。  
前記時刻は、利用者がその遊技台で遊技した時刻を格納する。  
前記台番号は、利用者が遊技した台番号を格納する。  
前記使用度数は、パチンコ玉やメダルなどの遊技媒体の使用数（払出し度数）を格納する。
【０１２７】
なお、遊技した遊技機の台番号は、台間機と遊技機とが対応しているので、これらの関係をテーブル（記憶部）に持ち、これにより台間機番号から遊技機番号を割り出すことができる。また、データ項目には、利用者の会員番号を追加しても良い。
【０１２８】
以上のデータ構成により、ＩＣコインが引換用か持出用のどちらかであるか、そうではなく遊技用であるかが景品コードの有無から識別でき、遊技用でなければ引換用であるか持出用であるかが景品種類コードから識別できる。持出用ＩＣコイン３は暗証番号でセキュリティを強化することができる。また、引換用ＩＣコイン２、持出用ＩＣコイン３、及び遊技用ＩＣコイン４は、発行日付から有効期限を割り出すことも可能となる。
【０１２９】
また、遊技情報履歴データにより、遊技ホール内での利用者の遊技履歴を管理することができ、不正防止を図ることができる。
【０１３０】
以上に説明した引換用ＩＣコイン２により、書換表示部２０２の表示内容の消去と書込み、ＥＥＰＲＯＭ９４に記憶するデータの読取りと書込みを、投入方向に関係なく高速に実行することができる。
【０１３１】
詳述すると、計数機１４の内部を示す図１０の平面図のように、搬送通路１４ａを通過する引換用ＩＣコイン２に対し、ＩＣコイン処理装置４３のアンテナ４３ｂでＥＥＰＲＯＭ９４にデータ書込みを実行することができる。さらに、熱書込装置４４のセラミックヒーター４４ａで表裏両面の書換表示部２０２の表示内容を消去し、サーマルヘッド４４ｂで表裏両面の書換表示部２０２に書込み表示を実行することができる。
【０１３２】
引換用ＩＣコイン２の搬送については、搬送通路１４ａの底面に搬送ベルトを備える、又は、搬送通路１４ａを傾斜させて回転移動により自然搬送すると良い。
【０１３３】
次に、ＩＣコイン貸出管理システム１の動作について、販売機５、計算機１４、現金払出機１５、及びＰＯＳ端末１６の順で以下に説明する。
【０１３４】
まず、図１１に示す販売機５の制御部２７（図２）がＲＯＭ２９内のプログラムに従って実行する動作を示す処理フロー図と共に、販売機５の動作について説明する。
【０１３５】
利用者によって貨幣１０や持出用ＩＣコイン３といった媒体が投入されると（ステップｎ１）、制御部２７は表示装置２２（図２）に投入金額を表示する（ステップｎ２）。
【０１３６】
制御部２７は、投入された媒体が貨幣１０かＩＣコインかを識別し（ステップｎ３）、貨幣１０であれば対応する金額の遊技用ＩＣコイン４を発行して払い出す（ステップｎ４）。
【０１３７】
前記ステップｎ３で投入されたのがＩＣコインであれば、制御部２７は景品コード及び景品種類コード（図９の（Ｅ）（Ｆ）（Ｇ））を参照してデータを確認し、投入されたＩＣコインが引換用ＩＣコイン２、持出用ＩＣコイン３、及び遊技用ＩＣコイン４のいずれであるかを識別する（ステップｎ５）。
【０１３８】
引換用ＩＣコイン２又は遊技用ＩＣコイン４であると識別した場合は、投入されたＩＣコインをそのまま返却する（ステップｎ６）。  
持出用ＩＣコイン３と識別した場合は、遊技用ＩＣコイン４を発行して払い出す（ステップｎ７）。
【０１３９】
以上の動作により、利用者は持出用ＩＣコイン３を遊技用ＩＣコイン４に取替えて遊技を行うことができる。誤って引換用ＩＣコイン２又は遊技用ＩＣコイン４が投入された場合はそのまま返却するため、持出用ＩＣコイン３と同じサイズに形成された引換用ＩＣコイン２又は遊技用ＩＣコイン４が間違って投入されても問題なく処理することができる。
【０１４０】
次に、図１２に示す計数機１４の制御部４６がＲＯＭ４８内のプログラムに従って実行する動作を示す処理フロー図と共に、図１３〜図１９の画面イメージ図を参照して、計数機１４の動作について説明する。
【０１４１】
制御部４６は、表示装置４１に図１３の遊技媒体投入要求画面を表示し、計数機１４のパチンコ玉投入口（遊技媒体投入口）４０ａ（図１）に遊技媒体であるパチンコ玉（又はメダル）１３が投入されるまで待機する（ステップｐ１）。
【０１４２】
パチンコ玉（又はメダル）１３が投入されると、遊技媒体数計数装置４０が玉数を計数し（ステップｐ２）、制御部４６は玉数をポイントに換算し（ステップｐ３）、図１４に示すように遊技媒体をポイントに交換するか確認する交換確認画面を表示する（ステップｐ４）。
【０１４３】
なお、該交換確認画面のポイント交換ボタン４１ａは、ポイント交換の処理を進めるボタンであり、返却ボタン４１ｂは、ポイントへの交換をキャンセルして遊技媒体を返却するボタンである。
【０１４４】
前記ポイント交換ボタン４１ａが選択されると、制御部４６は、図１５に示す暗証番号入力画面を表示し、暗証番号の入力を要求する（ステップｐ５）。  
該暗証番号入力画面では、画面上のテンキー４１ｋをタッチ操作させて生年月日等の暗証番号を入力させ、入力された暗証番号を表示枠４１ｍに表示する。誤って入力された場合には訂正ボタン４１ｎをタッチさせて再入力による訂正を許容し、決定ボタン４１ｐがタッチされることで入力された暗証番号を確定する。
【０１４５】
なお、この実施形態では、入力された暗証番号は表示枠４１ｍに表示し、入力ミスに気付けるように視認できる構成としたが、入力数値を他人が覗き見できないように丸印等のマーク表示を行う構成とし、セキュリティを高めても良い。
【０１４６】
決定ボタン４１ｐがタッチされると、制御部４６は、図１６に示す景品種別選択画面を表示装置４１に表示し、一般景品として商品と引換可能な引換用ＩＣコイン２の発行を受けるか、特殊景品として持出用ＩＣコイン３の発行を受けるか選択させる（ステップｐ６）。  
該選択は、一般景品ボタン４１ｃ又は特殊景品ボタン４１ｄをタッチさせることで選択させる。
【０１４７】
一般景品ボタン４１ｃがタッチされた場合、制御部４６は、図１７に示す商品選択画面を表示し、何の商品に引換えたいか利用者に選択（例えば焼肉を選択）させる（ステップｐ７）。
【０１４８】
該商品選択画面には、商品を選択させる複数の商品選択ボタン４１ｅと、全店共通で利用可能な共通ポイントの発行を選択させる共通ポイントボタン４１ｇと、交換をキャンセルするキャンセルボタン４１ｈを表示する。
【０１４９】
前記商品選択ボタン４１ｅとしては、焼肉店、ＧＳ（ガソリンスタンド）、ＣＤ（コンパクトディスク）、映画館、コンビニ、ボーリング、カラオケ、ゲームといった様々な商品若しくは店舗を用意する。
【０１５０】
また、特定の店舗で個別引換用ＩＣコイン２ｂのポイント価値を普段より割増利用できるといった特別サービスの案内等、広告表示を行うメッセージウィンドウ４１ｆも表示する。
【０１５１】
なお、該メッセージウィンドウ４１ｆの表示は、スクロールウィンドウにしてスクロールさせて表示するように構成しても良い。この場合は、表示できる情報を増加させることができる。
【０１５２】
また、利用者が商品選択ボタン４１ｅ上をタッチしてから指を離すまでの間、選択中の店舗に関する情報をメッセージウィンドウ４１ｆ表示し、ドラッグにより選択中の店舗が切換えられるとこれにあわせて表示する情報を切換えるように構成しても良い。この場合は、利用者が興味ある店舗の情報を選択して確認できるため、目的の情報へのアクセスが容易になり利便性が向上する。
【０１５３】
キャンセルボタン４１ｈがタッチされた場合は、ステップｐ６にリターンし、商品選択ボタン４１ｅ又は共通ポイントボタン４１ｇがタッチされた場合には、ＩＣコイン処理装置４３で引換用ＩＣコイン２に景品コード、景品種類コード、及び暗証番号のデータ書込みを実行する（ステップｐ８）。
【０１５４】
これにより、特定店舗（若しくは特定商品）でのみ使用可能な特定ポイントの付与、及び、どの店舗でも共通して使用可能な共通ポイントの付与を受けることが可能となる。
【０１５５】
制御部４６は、図１８に示す交換ポイント選択画面を表示し、何ポイント分交換するか利用者に選択（例えば１，０００ポイントを選択）させる（ステップｐ９）。
【０１５６】
該交換ポイント選択画面では、ポイント数の異なる複数のポイント選択ボタン４１ｉを表示すると共に、遊技ホール内のＣＭとして新機種導入予定やサービスデイ等の案内をメッセージウィンドウ４１ｊに表示するが、特別に表示する情報がなければ何も表示しない。
【０１５７】
制御部４６は、選択されたポイント数をＩＣコイン処理装置４３で引換用ＩＣコイン２にデータ書込みし（ステップｐ１０）、さらに熱書込装置４４で書換表示部２０２（図７）に書込み表示する（ステップｐ１１）。
【０１５８】
制御部４６は、前記ステップｐ９で選択されたポイント数を使用ポイントとして現在のポイント数から減算し、残りを残ポイントとするポイント数減算処理を実行する（ステップｐ１２）。
【０１５９】
残ポイントが５００ポイント以上であればステップｐ６にリターンし、０ポイントであれば処理を終了する（ステップｐ１３）。
【０１６０】
該ステップｐ１３で残ポイントが５００ポイントより少なく１ポイント以上であれば、残ポイントをパチンコ玉数（遊技媒体数）に変換して該パチンコ玉を払い出す（ステップｐ１６）。
【０１６１】
前記ステップｐ６で特殊景品ボタン４１ｄ（図１６）がタッチされた場合は、制御部４６は、持出用ＩＣコイン３に景品コード、景品種類コード、及び暗証番号をデータ書込みし（ステップｐ１４）、払出可能金額の持出用ＩＣコイン３として該持出用ＩＣコイン３を発行して払い出す（ステップｐ１５）。
【０１６２】
制御部４６は、残ポイントがあればパチンコ玉数に変換して該パチンコ玉を払出して全てのポイントを使いきり、図１９に示す終了画面を表示して処理を終了する（ステップｐ１６）。
【０１６３】
以上の動作により、利用者は遊技ホール外の好みの店舗で利用できる引換用ＩＣコイン２の発行と、換金若しくは後日再プレイが可能な持出用ＩＣコイン３の発行とを自由に選択することができる。
【０１６４】
特に引換用ＩＣコイン２を選択する場合は、使用可能な店舗を特定店舗に限定した個別引換用ＩＣコイン２ｂか、全店舗で共通に利用できる共通引換用ＩＣコイン２ａかを選択することができる。
【０１６５】
従って、個別引換用ＩＣコイン２ｂを選択してお得な追加サービスや割増ポイントの利益を得ることや、共通引換用ＩＣコイン２ａを選択していつでも自由に気の向いた店舗で使用するといったことが可能となる。
【０１６６】
店舗側にとっては、追加サービス等によって遊技ホールで自店舗の個別引換用ＩＣコイン２ｂの選択を促すことで、利用者に来店意欲を持たせることができ、新規顧客の開拓と顧客増加を図ることができる。
【０１６７】
次に、図２０に示す現金払出機１５の制御部６５がＲＯＭ６７内のプログラムに従って実行する動作を示す処理フロー図と共に、現金払出機１５の動作について説明する。
【０１６８】
ＩＣコイン投入口６４ａ（図１）からＩＣコインが投入されると（ステップｒ１）、制御部６５は、景品コードの有無を確認する（ステップｒ２）。
【０１６９】
景品コードがなかった場合は、遊技用ＩＣコイン４であるためそのまま返却する（ステップｒ３）。
【０１７０】
景品コードがあれば、景品種類コードを参照して持出用（特殊景品）か引換用（一般景品）かを識別する（ステップｒ４）。
【０１７１】
引換用（一般景品）であった場合には、貸出し可能度数（図９の（Ｅ））に格納されたポイントを一定の換金率（持出用ＩＣコイン３よりも換金率を下げた価値減少換金率）にて金額に換算し（ステップｒ５）、該金額の貨幣を払い出す（ステップｒ８）。
【０１７２】
持出用（特殊景品）であった場合には、貸出し可能度数（図９の（Ｆ））に格納されたポイント数値をそのまま金額数値とするため、価値等価換金率となり、そのまま次の処理に移行する。
【０１７３】
制御部６５は、利用者に暗証番号を入力させ（ステップｒ６）、暗証番号が一致すれば（ステップｒ７）、貨幣を払い出して処理を終了する（ステップｒ８）。
【０１７４】
暗証番号が不一致であれば、持出用ＩＣコイン３を返却し（ステップｒ９）、処理を終了する。
【０１７５】
以上の動作により、利用者は持出用ＩＣコイン３を自動換金することができる。また、商品と引換える予定であった引換用ＩＣコイン２を現金化したいと思い直した場合であっても、持出用ＩＣコイン３よりも低い一定の換金率で減額されつつも換金することが可能となる。
【０１７６】
従って、高い自由度を確保した上で引換用ＩＣコイン２の商品との引換意欲を高めることができ、遊技ホールと契約して引換用ＩＣコイン２の利用を受容れる店舗は、顧客開拓と需要増大を確実に見込むことができる。
【０１７７】
次に、図２１に示すＰＯＳ端末１６の制御部７５がＲＯＭ７７内のプログラムに従って実行する動作を示す処理フロー図と共に、ＰＯＳ端末１６の動作について説明する。
【０１７８】
店舗での精算時に利用者が店員に引換用ＩＣコイン２を渡し、該店員によってＰＯＳ端末１６のＩＣコイン投入口７３ａ（図１）に引換用ＩＣコイン２が投入されると（ステップｓ１）、制御部７５はデータを読取り景品コードと景品種類コードから引換用ＩＣコイン２であることを確認し、引換用ＩＣコイン２のポイント数を表示装置７１（図５）に表示する（ステップｓ２）。
【０１７９】
このとき、キャンペーン等による割増サービスを適用し、割増サービスするポイント数（例えば焼肉店で２０％割増したポイント数）も表示する。
【０１８０】
利用者に対して合計金額から割増サービスを含めたポイント数分の金額を減算した残りの代金を請求して精算し、引換用ＩＣコイン２をＩＣコイン読取装置７３内に備えたＩＣコイン収納部に回収し、処理を終了する（ステップｓ３）。
【０１８１】
以上の動作により、利用者は遊技ホールで遊技して得た引換用ＩＣコイン２を利用し、様々な店舗で選択した商品若しくは任意の商品と引換えることができる。  
すなわち、図２２の利用イメージ説明図に示すように、利用者は遊技ホールで獲得した引換用ＩＣコイン２を、焼肉店Ａ，ボーリング場Ｂ、ＣＤショップＣ等の各店舗で現金の代わりに利用することができる。
【０１８２】
従って遊技者は、豊富なバリエーションから商品を選択することができ、例えば飲食店で家族や友人に食事を振舞う等、遊技で取得した引換用ＩＣコイン２で気持ちよく物品購入やサービス利用を行うことができる。  
店舗にとっては、気持ち良く利用してもらうことで売上増加を図ることができる。
【０１８３】
商品引換えに利用しなかった場合には、利用者は遊技ホール近隣にある換金所Ｄで、現金払出機１５に引換用ＩＣコイン２を投入して現金に換金することができる。
【０１８４】
なお、店舗で引換用ＩＣコイン２を使用した際に、商品代金より引換用ＩＣコイン２のポイント数が高い場合は、店舗の店員は利用者に釣銭を支払えば良い。  
低額の商品に対して高額の引換用ＩＣコイン２が使用されることでの多額の釣銭を防止したい場合には、釣銭は支払わない旨を店舗内等に明示し、釣銭を支払わないように運用しても良い。
【０１８５】
店舗で回収した引換用ＩＣコイン２は、遊技ホールに現金と引換えに返却することで、店舗は売上金を現金で取得することができる。
【０１８６】
前述の実施形態では、店舗から遊技ホールに引換用ＩＣコイン２を返却し、その際に遊技ホールから等価（若しくは所定割合を差し引いた金額）の現金を取得する構成としたが、銀行口座からの自動引き落としを利用しても良い。
【０１８７】
この場合、ＰＯＳ端末１６に備えたＩＣコイン読取装置７３に替えて、ＩＣコインにデータの読書きが可能なＩＣコイン処理装置を備え、さらに熱書込装置（表示書換装置）を備えると良い。
【０１８８】
動作としては図２１に仮想線でしめすように、ステップｓ２とステップｓ３の間に、引換用ＩＣコイン２のポイントをＩＣコイン処理装置でデータ上０にクリアし、熱書込装置で書換表示部２０２の表示を消去するクリア処理を実行すればよい。
【０１８９】
ポイント数の消去に伴い、ＰＯＳ端末１６はホストコンピュータ８にポイント数の金額の振込み要求をデータ送信するよう設定すると良い。
【０１９０】
ホストコンピュータ８には、利用ＩＣコイン精算処理を実行するプログラムを格納し、該プログラムに従って月末締め等の締め処理時に、蓄積した振込み要求の合計金額を遊技ホールの口座から引き落とし、該当する店舗の口座へそれぞれ振り込めばよい。
【０１９１】
これにより、利用者から受け取った引換用ＩＣコイン２に対して、ポイント数の消去と書換表示部２０２（図６）の表示消去を行うことができる。該消去と同時に振込み予定が決定するため、二重請求や請求漏れを防止することができる。
【０１９２】
また、引換用ＩＣコイン２は遊技用ＩＣコイン４に取替えできない構成としたが、取替えできる構成としても良い。この場合は、投入された引換用ＩＣコイン２から遊技用ＩＣコイン４を発行する際、すなわち引換用ＩＣコイン２を遊技用ＩＣコイン４に取替える際に所定の取替率を適用し、持出用ＩＣコイン３よりも低い取替率で取替えるようにすると良い。
【０１９３】
これにより、引換用ＩＣコイン２が商品との引換えには得で、遊技用ＩＣコイン４への取替には損であるという位置付けをより明確にし、商品との引換意欲を高めることができる。
【０１９４】
また、引換用ＩＣコイン２を現金と引換える場合にも暗証番号の入力を要請するように構成しても良い。  
この場合、図２０に示した現金払出機１５の動作において、ステップｒ５の実行後に、ステップｒ８ではなくステップｒ６を実行するように設定すればよい。
【０１９５】
またこの場合に、図２１に示したＰＯＳ端末１６の動作においては、そのまま変更せずとも良く、またステップｓ１とステップｓ２の間で暗証番号の入力を要求しても良い。
【０１９６】
また、引換用ＩＣコイン２を換金する場合には、図２０のステップｒ５で一定の換金率を適用したが、このような換金率の適用を行わず、持出用ＩＣコイン３と同じようにそのまま換金しても良い。
【０１９７】
また、図６の（Ｂ）に示した共通引換用ＩＣコイン２ａの書換表示部２０２には、ポイント数２０５を書込まずに使用可能店舗名２０７及び引換商品名２０４のみを書込んでもよい。
【０１９８】
また、図６の（Ａ）に示した個別引換用ＩＣコイン２ｂの書換表示部２０２には、ポイント数２０５を書込まずに使用可能店舗名２０７のみを書き込んでも良い。
【０１９９】
また、引換用ＩＣコイン２のＩＣコインデータには、店舗コードに加えて商品コードを格納しても良い。この場合は、引換える商品を特定することが可能となる。
【０２００】
また、引換用ＩＣコイン２は、金メッキ等の高価な装飾を施した当たりコインを所定割合で混ぜ、該当たりコインには、例えば１００ポイント等の所定のサービスポイントを予め付与しておいても良い。
【０２０１】
これにより、利用者は遊技で獲得した以上のポイントが付与された引換用ＩＣコイン２を取得することができ、ゲーム性の向上と遊技者への利益還元による利用者の満足度を向上することができる。
【０２０２】
また、店舗に設置するＰＯＳ端末１６は、ケーブル１７に直接接続せず、インターネットを介してデータ管理装置７若しくはホストコンピュータ８に接続して構成しても良い。この場合は、ルータ等の通信装置を使用し、ファイヤウォールやＶＰＮ（Virtual Private Network）等のセキュリティ対策を行うと良い。
【０２０３】
これにより、専用回線を引くことなく低コストで広域のネットワークを構成することができる。
【０２０４】
また、複数の遊技ホールと複数の店舗とを接続し、ホストコンピュータ８でＩＣコインを一元管理する構成としても良い。これにより、ＩＣコイン貸出管理システム１による商品引換サービスの利用客を増加し、周知度を増加させて店舗数も増加させ、利用者が引換え可能な商品の種類を増加して相乗効果による顧客拡大を図ることができる。
【０２０５】
また、引換用ＩＣコイン２には書換表示部２０２の替わりに液晶表示部を設け、計数機１４の熱書込装置４４を省略しても良い。この場合は、引換用ＩＣコイン２の制御部４６の制御に従って液晶表示部に引換商品名２０４、ポイント数２０５、及び使用可能店舗名２０７を表示することができ、熱書込装置４４分のコストダウンを計ることができる。
【０２０６】
また、書換表示部２０２と熱書込装置４４は、これ以外の異なる方式で表示内容を書き換える装置や部材を使用しても良い。これにより、使用環境やコストに応じて、適切な方式で引換用ＩＣコイン２に表示する情報の書換えを行なうことができる。
【０２０７】
この発明の構成と、上述の実施形態との対応において、
この発明の景品引換システムは、実施形態のＩＣコイン貸出管理システム１に対応し、
以下同様に、
ＩＣコインは、引換用ＩＣコイン２に対応し、
共通ポイントは、共通引換用ＩＣコイン２ａのＩＣデータの貸出し可能度数に格納したポイントに対応し、
ＩＣコイン発行装置は、計数機１４に対応し、
ＩＣコイン読取装置は、ＰＯＳ端末１６に対応し、
数量取得手段は、遊技媒体数計数装置４０に対応し、
書込手段は、ＩＣコイン処理装置４３に対応し、
書込表示手段は、熱書込装置４４に対応し、
選択手段は、ステップｐ７を実行する制御部４６に対応し、
出力手段は、表示装置７１に対応し、
読取手段は、ＩＣコイン読取装置７３に対応し、
記憶手段は、ＥＥＰＲＯＭ９４に対応し、
無線通信手段は、アンテナ９７に対応し、
識別情報は、店舗コードに対応し、
保有数量は、遊技媒体数及びパチンコ玉数に対応し、
商品交換用ポイントは、ポイントに対応するも、
この発明は、上述の実施形態の構成のみに限定されるものではなく、多くの実施の形態を得ることができる。
【図面の簡単な説明】
【０２０８】
【図１】ＩＣコイン貸出管理システムのシステム構成図。
【図２】販売機の回路ブロック図。
【図３】計数機の回路ブロック図。
【図４】現金払出機の回路ブロック図。
【図５】ＰＯＳ端末の回路ブロック図。
【図６】ＩＣコインの外観構成の説明図。
【図７】引換用ＩＣコインの書換表示部の断面図。
【図８】ＩＣコインの回路ブロック図。
【図９】ＩＣコインデータ及び遊技情報履歴データの説明図。
【図１０】計数機内部の平面図。
【図１１】販売機の制御部の動作を示す処理フロー図。
【図１２】計数機の制御部の動作を示す処理フロー図。
【図１３】遊技媒体投入要求画面の画面イメージ図。
【図１４】交換確認画面の画面イメージ図。
【図１５】暗証番号入力画面の画面イメージ図。
【図１６】景品種別選択画面の画面イメージ図。
【図１７】商品選択画面の画面イメージ図。
【図１８】交換ポイント選択画面の画面イメージ図。
【図１９】終了画面の画面イメージ図。
【図２０】現金払出機の制御部の動作を示す処理フロー図。
【図２１】ＰＯＳ端末の制御部の動作を示す処理フロー図。
【図２２】引換用ＩＣコインの利用イメージの説明図。
【符号の説明】
【０２０９】
１…ＩＣコイン貸出管理システム
２…引換用ＩＣコイン
２ａ…共通引換用ＩＣコイン
１２…遊技機
１４…計数機
１６…ＰＯＳ端末
４０…遊技媒体数計数装置
４３…ＩＣコイン処理装置
４４…熱書込装置
４６…制御部
７１…表示装置
７３…ＩＣコイン読取装置
９４…ＥＥＰＲＯＭ
９７…アンテナ
【図１】
2005135233.tif 000003
【図２】
2005135233.tif 000004
【図３】
2005135233.tif 000005
【図４】
2005135233.tif 000006
【図５】
2005135233.tif 000007
【図６】
2005135233.tif 000008
【図７】
2005135233.tif 000009
【図８】
2005135233.tif 000010
【図９】
2005135233.tif 000011
【図１０】
2005135233.tif 000012
【図１１】
2005135233.tif 000013
【図１２】
2005135233.tif 000014
【図１３】
2005135233.tif 000015
【図１４】
2005135233.tif 000016
【図１５】
2005135233.tif 000017
【図１６】
2005135233.tif 000018
【図１７】
2005135233.tif 000019
【図１８】
2005135233.tif 000020
【図１９】
2005135233.tif 000021
【図２０】
2005135233.tif 000022
【図２１】
2005135233.tif 000023
【図２２】
2005135233.tif 000024